(57)【要約】【課題】音声信号に対して簡便に最適な補正を行うことが可能なイコライザ機能を備えるオーディオ再生装置を提供できるようにする。【解決手段】オーディオ再生装置１００の制御部１０９は、ＣＤ再生部１０３を制御してオーディオデータを再生する。制御部１０９は、ＤＳＰ１０５を制御して複数の周波数についてオーディオデータの音量を検出する。制御部１０９は、検出した複数の周波数におけるオーディオデータの音量を比較し、その大小を判別する。制御部１０９は、ＤＳＰ１０５を制御して、判別した複数の周波数におけるオーディオデータの音量の大小に基づいて複数の周波数帯におけるオーディオデータの音量を最適なものに補正する。【選択図】図１
2008130103.tif 000002
【特許請求の範囲】
【請求項１】
イコライザ機能を備えるオーディオ再生装置であって、
再生対象の記録媒体に記録されているオーディオデータを解析して、複数の周波数についてオーディオデータが示す音量を判別する音量判別手段と、
前記音量判別手段により判別された複数の周波数帯の音量の組み合わせに基づく補正特性に従って、複数の周波数帯における前記オーディオデータの音量を補正する音量補正手段と、を備える、
ことを特徴とするオーディオ再生装置。
【請求項２】
前記オーディオデータは、複数の楽曲データから構成され、
前記音量判別手段は、複数の周波数について前記複数の楽曲データのうちの所定数の楽曲データが示す音量を判別し、
前記音量補正手段は、各周波数の音量の予め定められている大小関係を判別し、判別した大小関係に基づいて、複数の周波数帯における前記オーディオデータの音量を補正する、
ことを特徴とする請求項１に記載のオーディオ再生装置。
【請求項３】
前記音量判別手段が判別した所定数の楽曲データの音量は、所定回数判別した当該楽曲データが示す音量の平均値又は最大値である、
ことを特徴とする請求項２に記載のオーディオ再生装置。
【請求項４】
前記音量判別手段が判別した所定数の楽曲データの音量は、当該楽曲データの所定の部分が示す音量の平均値又は最大値である、
ことを特徴とする請求項３に記載のオーディオ再生装置。
【請求項５】
コンピュータを、
再生対象の記録媒体に記録されているオーディオデータを解析して、複数の周波数についてオーディオデータが示す音量を判別する音量判別手段、
前記音量判別手段により判別された複数の周波数帯の音量の組み合わせに基づく補正特性に従って、複数の周波数帯における前記オーディオデータの音量を補正する音量補正手段、
として機能させることを特徴とするプログラム。
【発明の詳細な説明】
【技術分野】
【０００１】
本発明は、音声信号を補正するイコライザ機能を備えるオーディオ再生装置に関する。
【背景技術】
【０００２】
現在、ユーザが音楽を再生する際にその再生音をユーザの好みの音質または最適な音質に設定する様々なイコライザ機能を備えるオーディオ再生装置が製品化されている。
【０００３】
例えば、特許文献１には、複数の周波数特性パターンを記憶し、その内ユーザが選択した周波数特性パターンに従って音声信号を補正するイコライザ装置の発明が開示されている。
【０００４】
また、特許文献２には、ユーザが再生する音楽のジャンルを判別し、そのジャンルに基づいて自動的に周波数特性パターンを設定し、その周波数特性パターンに従って音声信号を補正するイコライザ装置の発明が開示されている。
【０００５】
また、ユーザがマニュアルで複数の周波数のレベルを調整し、周波数特性パターンを設定し、その周波数特性パターンに従って音声信号を補正するイコライザ装置も公知である。
【０００６】
しかし、特許文献１に記載されているイコライザ装置では、細かい設定をすることが不可能である。また、特許文献２に記載されているイコライザ装置では、ジャンルを判別するために大規模なデータベースを必要とし、小規模な装置には向かない。ユーザがマニュアルで周波数特定パラメータを設定するイコライザ装置は、複数の周波数のレベルを調整するために手間がかかる。
【０００７】
また、再生対象の記録媒体、例えば、ＣＤ（Compact Disc）には異なる記録特性で記録されたものがある。また、音楽のジャンルによって適切な周波数特性パターンが異なる。このため、ある記録媒体について、最適な周波数特性パターンを設定したとしても、記録媒体が交換されると、設定されている周波数特性パターンを変更または再設定しなければならない。このような再設定作業はユーザにとって負担である。
【特許文献１】特開平１１−１５０７８６号公報
【特許文献２】特開２００１−８５９６２号公報
【発明の開示】
【発明が解決しようとする課題】
【０００８】
本発明は、上記問題点に鑑みてなされたもので、簡便で適当な補正を行うことが可能なイコライザ機能を備えるオーディオ再生装置を提供することを目的とする。
また、本発明は、記録媒体や再生対象楽曲に適したイコライジングを行うことが可能なイコライザ機能を備えるオーディオ再生装置とそのプログラムを提供することを目的とする。
【課題を解決するための手段】
【０００９】
上記目的を達成するために、本発明の第１の観点に係るオーディオ再生装置は、
イコライザ機能を備えるオーディオ再生装置であって、
再生対象の記録媒体に記録されているオーディオデータを解析して、複数の周波数についてオーディオデータが示す音量を判別する音量判別手段と、
前記音量判別手段により判別された複数の周波数帯の音量の組み合わせに基づく補正特性に従って、複数の周波数帯における前記オーディオデータの音量を補正する音量補正手段と、を備える、
ことを特徴とする。
【００１０】
例えば、前記オーディオデータは、複数の楽曲データから構成され、
前記音量判別手段は、複数の周波数について前記複数の楽曲データのうちの所定数の楽曲データが示す音量を判別し、
前記音量補正手段は、各周波数の音量の予め定められている大小関係を判別し、判別した大小関係に基づいて、複数の周波数帯における前記オーディオデータの音量を補正する、
ことを特徴としてもよい。
【００１１】
例えば、前記音量判別手段が判別した所定数の楽曲データの音量は、所定回数判別した当該楽曲データが示す音量の平均値又は最大値である、
ことを特徴としてもよい。
【００１２】
例えば、前記音量判別手段が判別した所定数の楽曲データの音量は、当該楽曲データの所定の部分が示す音量の平均値又は最大値である、
ことを特徴としてもよい。
【００１３】
本発明の第２の観点に係るプログラムは、
コンピュータを、
再生対象の記録媒体に記録されているオーディオデータを解析して、複数の周波数についてオーディオデータが示す音量を判別する音量判別手段、
前記音量判別手段により判別された複数の周波数帯の音量の組み合わせに基づく補正特性に従って、複数の周波数帯における前記オーディオデータの音量を補正する音量補正手段、
として機能させることを特徴とする。
【発明の効果】
【００１４】
本発明によれば、簡便で適当な補正を行うことが可能なイコライザ機能を備えるオーディオ再生装置を提供することができる。
また、記録媒体や再生対象楽曲に適したイコライジングを行うことが可能なイコライザ機能を備えるオーディオ再生装置とそのプログラムを提供することができる。
【発明を実施するための最良の形態】
【００１５】
以下、本発明の実施形態に係るオーディオ再生装置１００を説明する。オーディオ再生装置１００は、再生するディスク媒体の楽曲データに応じた音質の補正を自動的に行う。
【００１６】
オーディオ再生装置１００は、図１に示すように、操作部１０１と、ＭＤ（Mini Disc）再生部１０２と、ＣＤ（Compact Disc）再生部１０３と、セレクタ１０４と、ＤＳＰ（Digital Signal Processor）１０５と、Ｄ／Ａ（Digital to Analog）変換器１０６と、アンプ１０７と、スピーカ１０８と、制御部１０９と、チューナ１１０と、セレクタ１１１と、Ａ／Ｄ（Analog to Digital）変換器１１２と、バス１１３と、から構成される。また、オーディオ再生装置１００は、外部再生装置２００と接続し、アナログ音声信号を取得することができる。
【００１７】
操作部１０１は、ユーザから操作情報を受け付け、操作に応じた操作信号を、バス１１３を介して制御部１０９に供給する。例えば、制御部１０９は、ユーザから操作部１０１を介してイコライザの自動設定を行うように指示を受けると、ＣＤ再生部１０３とＤＳＰ１０５とを制御してＣＤ記録媒体から再生される音声信号を最適な音声信号に補正するようにＤＳＰ１０５の設定を行う。
【００１８】
ＭＤ再生部１０２は、ＭＤプレーヤからなり、制御部１０９の制御に基づいてＭＤ記録媒体に記録された楽曲を再生する。そして、再生したデジタル音声信号を、セレクタ１０４を通じてＤＳＰ１０５に供給する。
【００１９】
ＣＤ再生部１０３は、ＣＤプレーヤからなり、制御部１０９の制御に基づいてＣＤ記録媒体に記録された楽曲を再生する。そして、再生したデジタル音声信号を、セレクタ１０４を通じてＤＳＰ１０５に供給する。
【００２０】
セレクタ１０４は、例えば、２入力１出力の選択回路等から構成され、制御部１０９に制御される。
セレクタ１０４は、ＭＤ再生部１０２から供給される音声信号、及び、ＣＤ再生部１０３から供給される音声信号を入力する。そして、制御部１０９の制御に基づいて、入力した音声信号の何れか一つを選択して、ＤＳＰ１０５に供給する。
【００２１】
ＤＳＰ１０５は、制御部１０９の制御に基づいて、セレクタ１０４又はＡ／Ｄ変換器１１２から供給されたデジタル音声信号に処理を施し、Ｄ／Ａ変換器１０６に供給する。
また、ＤＳＰ１０５は、セレクタ１０４又はＡ／Ｄ変換器１１２から供給されたデジタル音声信号の周波数特性を測定し、測定した周波数特性についてのデータを制御部１０９に供給する。
ＤＳＰ１０５は、図２に示すように、イコライザ部１０５１と、ボリューム調整部１０５２と、スペクトラムアナライザ部１０５３と、から構成される。
【００２２】
イコライザ部１０５１は、例えば、複数のピーキングフィルタ等から構成される。イコライザ部１０５１は、制御部１０９の制御に基づいて、７つのバンド（周波数帯域）における音量レベルを調節するように、セレクタ１０４又はＡ／Ｄ変換器１１２から供給されたデジタル音声信号に処理を施す。
【００２３】
ここで、図３に示すように、６３Ｈｚを中心とする周波数帯域をバンド１とし、１６０Ｈｚを中心とする周波数帯域をバンド２とし、４００Ｈｚを中心とする周波数帯域をバンド３とし、１ｋＨｚを中心とする周波数帯域をバンド４とし、２．５ｋＨｚを中心とする周波数帯域をバンド５とし、６．３ｋＨｚを中心とする周波数帯域をバンド６とし、１６ｋＨｚを中心とする周波数帯域をバンド６と、バンド６の周波数帯域以上の周波数帯域をバンド７とする。また、ここでは、バンド１〜３を低音域と呼び、バンド４を中音域と呼び、バンド５〜７を高音域と呼ぶことにする。
【００２４】
イコライザ部１０５１は、制御部１０９の制御のもと、各バンドの音量レベルの変化量（補正量）を−８ｄＢから＋８ｄＢの間において１ｄＢ単位で変化させることができる。ここで、各バンドとそれに対応する音量レベルの変化量のグラフをイコライザカーブと呼ぶ。
イコライザ部１０５１は、供給された音声信号のバンド１〜７の成分の音量レベルを、それぞれ、設定された変化量（−８ｄＢ〜＋８ｄｂ）だけ補正して、出力する。例えば、制御部１０９に、予めバンド１、２、３、４、５、６、７に、変化量として＋３ｄＢ、−１ｄＢ，＋２ｄＢ，＋３ｄＢ，−１ｄＢ，−２ｄＢ，−３ｄＢが設定されているとする。その場合、イコライザ部１０５１は、供給されたデジタル音声データを、バンド１については、その音声データが示す音量が３ｄｂだけ増加するように、音声データを処理（編集）し、バンド２については、その音声データが示す音量が１ｄｂだけ減少するように、音声データを処理（編集）し、バンド３〜７についてもそれぞれ設定された変化量に基づいて音声データを処理（編集）し、出力する。
【００２５】
ボリューム調整部１０５２は、制御部１０９の制御に基づいて、イコライザ部１０５１から供給されたデジタル音声信号全体の音量レベルを調節する。
【００２６】
スペクトラムアナライザ部１０５３は、イコライザ部１０５１から供給されたデジタル音声信号の周波数特性を測定し、測定した周波数特性についてのデータを、バス１１３を介して制御部１０９に供給する。
【００２７】
Ｄ／Ａ変換器１０６は、ＤＳＰ１０５から供給されたデジタル音声信号をアナログ音声信号に変換し、アンプ１０７に供給する。
【００２８】
アンプ１０７は、Ｄ／Ａ変換器１０６から供給されたアナログ音声信号を増幅し、スピーカ１０８に供給する。
【００２９】
スピーカ１０８は、アンプ１０７から供給されたアナログ音声信号に基づく音声を出力する。
【００３０】
制御部１０９は、ＣＰＵ（Central Processing Unit）、ＲＯＭ（Read Only Memory）、ＲＡＭ（Random Access Memory）等から構成され、オーディオ再生装置１００全体を制御する。例えば、制御部１０９は、ＣＤ、ＭＤからの楽曲の再生、チューナでの放送の受信再生・外部再生装置２００からの音声データの入力・再生等の音声信号の再生動作全般を制御する。
さらに、制御部１０９は、ユーザより操作部１０１を介して、ＣＤ記録媒体を再生する際の音質補正の自動設定を行うように指示を受けると、ＣＤ再生部１０３とＤＳＰ１０５とを制御してＣＤ記録媒体から再生される音声信号を最適な音声信号に補正するように設定を行う。以下、この設定をイコライザ自動設定と呼ぶ。
【００３１】
チューナ１１０は、例えば、ＡＭ／ＦＭチューナ等から構成され、制御部１０９の制御のもと、所定の放送局から送信される放送電波を受信し、復調したアナログ音声信号をセレクタ１１１に供給する。
【００３２】
セレクタ１１１は、例えば、２入力１出力の選択回路等から構成され、制御部１０９に制御される。
セレクタ１１１は、チューナ１１０から供給される音声信号、及び、外部再生装置２００から供給される音声信号を入力する。そして、制御部１０９の制御に基づいて、入力した音声信号の何れか一つを選択して、Ａ／Ｄ変換器１１２に供給する。
【００３３】
Ａ／Ｄ変換器１１２は、セレクタ１１１から供給されたアナログ音声信号をデジタル音声信号に変換し、ＤＳＰ１０５に供給する。
【００３４】
バス１１３は、操作部１０１と、ＭＤ再生部１０２と、ＣＤ再生部１０３と、セレクタ１０４と、ＤＳＰ１０５と、制御部１０９と、チューナ１１０と、セレクタ１１１とに接続され、制御部１０９と他の装置との間でデータの送受信を行う。
【００３５】
外部再生装置２００は、例えば、ポータブルオーディオプレーヤ等であり、オーディオ再生装置１００に接続し、再生した音声信号または記憶しているアナログ音声信号をセレクタ１１１に供給する。
【００３６】
次に、上記構成を有するオーディオ再生装置１００の動作を図４〜８を参照して説明する。
【００３７】
オーディオ再生装置１００が実行する各種記録ソース（記録媒体（ＣＤ，ＭＤ）、チューナ、外部再生装置）からオーディオデータを再生する動作は、基本的に一般の再生動作と同一である。
即ち、制御部１０１は、操作部１０９からのユーザの指示に従って、セレクタ１０４，１１１を制御して、音声データのソースを、ＭＤ再生部１０２，ＣＤ再生部１０３，チューナ１１０、外部再生装置２００のいずれかから選択する。選択されたソースからの音声信号はＤＳＰ１０５に供給される。ＤＳＰ１０５は、供給されたデジタル音声信号にイコライジング処理（バンド別音量補正処理）等を行って、Ｄ／Ａ変換器１０６を介してアナログ音声信号に変換してアンプ１０７を介してスピーカ１０８から放音する。
【００３８】
次に、この実施の形態に特有なイコライザ自動設定処理を説明する。
まず、図４を参照して、イコライザ自動設定処理の全体像を説明する。
なお、このイコライザ自動設定処理は、実施の形態では、再生対象の記録媒体がＣＤの場合にのみ実施され、そのＣＤ自体の記録特性に応じたイコライザカーブを設定する処理である。
【００３９】
ユーザは、基本的には、再生対象のＣＤをＣＤ再生部１０３にセットし、操作部１０１を介してイコライザ自動設定を行うように指示する。
制御部１０９は、ユーザが操作部１０１を介してイコライザ自動設定を行うように指示すると、ＣＤ再生部１０３においてＣＤ記録媒体が再生可能であるか否かを判別する（ステップＳ１００）。
【００４０】
ＣＤ再生部１０３においてＣＤ記録媒体が再生可能ではないと判別すると（ステップＳ１００；ＮＯ）、イコライザ自動設定処理を終了する。
【００４１】
ＣＤ再生部１０３においてＣＤ記録媒体が再生可能であると判別すると（ステップＳ１００；ＹＥＳ）、制御部１０９は、ＣＤ再生部１０３においてＣＤ記録媒体が再生中であるか否かを判別する（ステップＳ２００）。
【００４２】
ＣＤ再生部１０３においてＣＤ記録媒体が再生中ではないと判別すると（ステップＳ２００；ＮＯ）、処理をＳ４００に進める。
【００４３】
ＣＤ再生部１０３においてＣＤ記録媒体が再生中であると判別すると（ステップＳ２００；ＹＥＳ）、制御部１０９は、ＣＤ再生部１０３におけるＣＤ記録媒体の再生を停止する（ステップＳ３００）。
【００４４】
制御部１０９は、ＤＳＰ１０５のイコライザ部１０５１を制御して全てのバンドにおける音量レベルの変化量を０ｄＢにする（ステップＳ４００）。
【００４５】
制御部１０９は、後述するサンプリング処理を行い、ＣＤ記録媒体に含まれる曲の内の五曲の１００Ｈｚ，４００Ｈｚ，２．５ｋＨｚ，１０ｋＨｚにおける平均音量を算出する（ステップＳ５００）。
【００４６】
制御部１０９は、上記のサンプリング処理において算出した平均音量に基づいて、後述する平均音量比較処理を行い、イコライザカーブを決定するための複数のパラメータを算出する（ステップＳ６００）。
【００４７】
制御部１０９は、上記の平均音量比較処理において算出した複数のパラメータに基づいて、後述するイコライザカーブ決定処理を行い、イコライザカーブを決定する（ステップＳ７００）。
【００４８】
制御部１０９は、上記のイコライザカーブ決定処理において決定されたイコライザカーブをＤＳＰ１０５に設定し、そのイコライザカーブに基づいてＣＤ記録媒体を再生するように、ＣＤ再生部１０３を起動し、セレクタ１０４を制御する（ステップＳ８００）。
【００４９】
以上が、イコライザ自動設定処理の概略動作である。
【００５０】
次にイコライザ自動設定処理において行われるサンプリング処理と平均音量比較処理とイコライザカーブ決定処理とを順に説明する。
【００５１】
先ず、イコライザ自動設定処理のステップＳ５００において行われるサンプリング処理を説明する。簡単に説明すると、サンプリング処理において、オーディオ再生装置１００は、ＣＤ記録媒体に含まれる曲の内の所定数（ここでは、理解を容易にするため、５曲とする）の１００Ｈｚ，４００Ｈｚ，２．５ｋＨｚ，１０ｋＨｚにおける平均音量を算出する。なお、これらの数値は、ＣＤの種類による記録特性の差、記録されている楽曲のジャンル別の楽曲の一般的な周波数特性に基づいて予め定めたものである。
【００５２】
以下、図５を参照して、サンプリング処理（Ｓ５００）を詳細に説明する。
【００５３】
先ず、制御部１０９は、楽曲数を示すカウンタＮの値を「１」として記憶する（ステップＳ５０１）。
【００５４】
制御部１０９は、サンプリング数を示すカウンタＭの値を「１」として記憶する（ステップＳ５０２）。
【００５５】
制御部１０９は、ＣＤ再生部１０３を制御してＣＤ記録媒体に含まれる曲の内のＮ番目の曲の先頭から一分の位置をサーチする（ステップＳ５０３）。
【００５６】
制御部１０９は、ＣＤ再生部１０３を制御してＣＤ記録媒体に含まれる曲の内のＮ番目の曲の先頭から一分の位置から再生を行い（ステップＳ５０４）、スペクトラムアナライザ部１０５３を制御して、１００Ｈｚ，４００Ｈｚ，２．５ｋＨｚ，１０ｋＨｚにおける音量を測定する（ステップＳ５０５）。
【００５７】
制御部１０９は、カウンタＭの値が「１００」であるか否かを判別する（ステップＳ５０６）。
【００５８】
カウンタＭの値が「１００」ではないと判別すると（ステップＳ５０６；ＮＯ）、カウンタＭの値に「１」を加算して（ステップＳ５０９）、処理をステップＳ５０５に戻す。
【００５９】
カウンタＭの値が「１００」であると判別すると（ステップＳ５０６；ＹＥＳ）、Ｎ番目の曲の１００Ｈｚ，４００Ｈｚ，２．５ｋＨｚ，１０ｋＨｚにおける音量の１００回の平均値を算出して記憶する（ステップＳ５０７）。
【００６０】
制御部１０９は、カウンタＮの値が「５」であるか否かを判別する（ステップＳ５０８）。
【００６１】
カウンタＮの値が「５」ではないと判別すると（ステップＳ５０８；ＮＯ）、制御部１０９は、カウンタＮの値に「１」を加算して（ステップＳ５１０）、処理をステップＳ５０２に戻す。
【００６２】
カウンタＮの値が「５」であると判別すると（ステップＳ５０８；ＹＥＳ）、サンプリング処理を終了する。
【００６３】
このようにして、サンプリング処理によれば、オーディオ再生装置１００は、五曲分の１００Ｈｚ，４００Ｈｚ，２．５ｋＨｚ，１０ｋＨｚにおける平均音量を検出することができる。
【００６４】
次に、イコライザ自動設定処理のステップＳ６００において行われる平均音量比較処理を説明する。簡単に説明すると、平均音量比較処理において、オーディオ再生装置１００は、サンプリング処理で算出した平均音量を比較し、イコライザカーブを決定するための複数のパラメータを算出する。
【００６５】
図６に示すように、サンプリング処理で平均音量を算出した曲の内、１０ｋＨｚの音量と２．５ｋＨｚの音量の差が閾値以上の曲の数をパラメータＡの値として算出し、１０ｋＨｚの音量と２．５ｋＨｚの音量の差が閾値以上の曲の曲を録音の古いものであるとみなす。１０ｋＨｚの音量と２．５ｋＨｚの音量の差が閾値未満の曲の数をパラメータＢの値として算出する。
【００６６】
また、同様に２．５ｋＨｚの音量と４００Ｈｚの音量の大小と、４００Ｈｚの音量と１００Ｈｚの音量の大小とに対応する曲の数をパラメータＣ，Ｄ，Ｅ，Ｆ，Ｇ，Ｈとして算出する。
【００６７】
以下、図７を参照して、制御部１０９が行う平均音量比較処理を詳細に説明する。
【００６８】
先ず、制御部１０９は、パラメータＡ，Ｂ，Ｃ，Ｄ，Ｅ，Ｆ，Ｇ，Ｈの値を「０」として記憶し、カウンタＮの値を「１」として記憶する（ステップＳ６０１）。
【００６９】
制御部１０９は、上記のサンプリング処理で算出したＮ番目の曲の１０ｋＨｚと２．５ｋＨｚの平均音量を比較する（ステップＳ６０２）。
【００７０】
制御部１０９は、Ｎ番目の曲の１０ｋＨｚと２．５ｋＨｚの平均音量の差が所定の閾値以上であるか否かを判別する（ステップＳ６０３）。
【００７１】
Ｎ番目の曲の１０ｋＨｚと２．５ｋＨｚの平均音量の差が所定の閾値以上であると判別すると（ステップＳ６０３；ＹＥＳ）、パラメータＡの値に「１」を加算し（ステップＳ６０４）、ステップＳ６０６に進む。
【００７２】
Ｎ番目の曲の１０ｋＨｚと２．５ｋＨｚの平均音量の差が所定の閾値以上ではないと判別すると（ステップＳ６０３；ＮＯ）、パラメータＢの値に「１」を加算し（ステップＳ６０５）、ステップＳ６０６に進む。
【００７３】
制御部１０９は、上記のサンプリング処理で算出したＮ番目の曲の２．５ｋＨｚと４００Ｈｚの平均音量を比較する（ステップＳ６０６）。
【００７４】
制御部１０９は、ステップＳ６０６で行った比較の結果、４００Ｈｚの平均音量の方が大きいか否かを判別する（ステップＳ６０７）。
【００７５】
４００Ｈｚの平均音量の方が大きいと判別すると（ステップＳ６０７；ＹＥＳ）、パラメータＣの値に「１」を加算し（ステップＳ６０８）、ステップＳ６１２に進む。
【００７６】
４００Ｈｚの平均音量の方が大きくはないと判別すると（ステップＳ６０７；ＮＯ）、制御部１０９は、ステップＳ６０６で行った比較の結果、２．５ｋＨｚの平均音量の方が大きいか否かを判別する（ステップＳ６０９）。
【００７７】
２．５ｋＨｚの平均音量の方が大きくはないと判別すると（ステップＳ６０９；ＮＯ）、制御部１０９は、パラメータＤの値に「１」を加算し（ステップＳ６１０）、ステップＳ６１２に進む。
【００７８】
２．５ｋＨｚの平均音量の方が大きいと判別すると（ステップＳ６０９；ＹＥＳ）、制御部１０９は、パラメータＥの値に「１」を加算し（ステップＳ６１１）、ステップＳ６１２に進む。
【００７９】
制御部１０９は、上記のサンプリング処理で算出したＮ番目の曲の４００Ｈｚと１００Ｈｚの平均音量を比較する（ステップＳ６１２）。
【００８０】
制御部１０９は、ステップＳ６１２で行った比較の結果、１００Ｈｚの平均音量の方が大きいか否かを判別する（ステップＳ６１３）。
【００８１】
１００Ｈｚの平均音量の方が大きいと判別すると（ステップＳ６１３；ＹＥＳ）、パラメータＦの値に「１」を加算し、ステップＳ６１８に進む。
【００８２】
１００Ｈｚの平均音量の方が大きくはないと判別すると（ステップＳ６１３；ＮＯ）、制御部１０９は、ステップＳ６１３で行った比較の結果、４００Ｈｚの平均音量の方が大きいか否かを判別する（ステップＳ６１５）。
【００８３】
４００Ｈｚの平均音量の方が大きくはないと判別すると（ステップＳ６１５；ＮＯ）、制御部１０９は、パラメータＧの値に「１」を加算し（ステップＳ６１６）、ステップＳ６１８に進む。
【００８４】
４００Ｈｚの平均音量の方が大きいと判別すると（ステップＳ６１５；ＹＥＳ）、制御部１０９は、パラメータＨの値に「１」を加算し（ステップＳ６１７）、ステップＳ６１８に進む。
【００８５】
制御部１０９は、カウンタＮの値が「５」であるか否かを判別する（ステップＳ６１８）。
【００８６】
カウンタＮの値が「５」ではないと判別すると（ステップＳ６１８；ＮＯ）、制御部１０９は、カウンタＮの値に「１」を加算し（ステップＳ６１９）、処理をステップＳ６０２に戻す。
【００８７】
カウンタＮの値が「５」であると判別すると（ステップＳ６１８；ＹＥＳ）、平均音量比較処理を終了する。
【００８８】
このようにして、平均音量比較処理によれば、オーディオ再生装置１００は、イコライザカーブを決定するためのパラメータを算出することができる。
【００８９】
次に、イコライザ自動設定処理のステップＳ７００において行われるイコライザカーブ決定処理を説明する。簡単に説明すると、イコライザカーブ決定処理において、制御部１０９は、平均音量比較処理で算出した複数のパラメータに基づいて、イコライザカーブを決定する
【００９０】
図８（ａ）に示すように、パラメータＡとＢとを比較し、パラメータＡの方の値が高ければ、高音域を８ｄＢ上げる。また、パラメータＢの方の値が高ければ、高音域を４ｄＢ上げる。パラメータＣ〜Ｅを比較し、パラメータＣの値が最も高ければ、中音域を８ｄＢ上げる。また、パラメータＤの値が最も高ければ、中音域における変更を行わない。パラメータＥの値が最も高ければ、中音域を８ｄＢ下げる。パラメータＦ〜Ｈを比較し、パラメータＦの値が最も高ければ、低音域を８ｄＢ上げる。また、パラメータＧの値が最も高ければ、低音域を４ｄＢ上げる。パラメータＨの値が最も高ければ、低音域における変更を行わない。
これらの処理により、再生対象のＣＤの記録特性及び記録されている楽曲のジャンルに応じたイコライジングカーブを指定するパラメータが設定される。
【００９１】
一例として、オーディオ再生装置１００が、平均音量比較処理で算出した各パラメータの値が図８（ｂ）に示すものであったとする。このようなパラメータが設定された場合には、図８（ａ）の設定に従い、制御部１０９は、高音域を８ｄＢ上げ、中音域を８ｄＢ上げ、低音域を変更しない補正を行う。
【００９２】
以下、図９を参照して、制御部１０９が行うイコライザカーブ決定処理の詳細を説明する。
【００９３】
先ず、制御部１０９は、平均音量比較処理において算出したパラメータＡの値の方が、パラメータＢの値より大きいか否かを判別する（ステップＳ７０１）。
【００９４】
パラメータＡの値の方が、パラメータＢの値より大きいと判別すると（ステップＳ７０１；ＹＥＳ）、制御部１０９は、イコライザカーブの高音域（バンド５〜７）を８ｄＢ高くし（ステップＳ７０２）、ステップＳ７０４に進む。ただし、この処理の開始時においてイコライザカーブは、全バンドで０ｄＢである。
【００９５】
パラメータＡの値の方が、パラメータＢの値より大きくはないと判別すると（ステップＳ７０１；ＮＯ）、制御部１０９は、イコライザカーブの高音域（バンド５〜７）を４ｄＢ高くし（ステップＳ７０３）、ステップＳ７０４に進む。
【００９６】
制御部１０９は、平均音量比較処理において算出したパラメータＣ，Ｄ，Ｅの中でパラメータＣの値が最も高いか否かを判別する（ステップＳ７０４）。
【００９７】
パラメータＣ，Ｄ，Ｅの中でパラメータＣの値が最も高いと判別すると（ステップＳ７０４；ＹＥＳ）、制御部１０９は、イコライザカーブの中音域（バンド４）を８ｄＢ高くし（ステップＳ７０５）、ステップＳ７０８に進む。
【００９８】
パラメータＣ，Ｄ，Ｅの中でパラメータＣの値が最も高くはないと判別すると（ステップＳ７０４；ＮＯ）、制御部１０９は、パラメータＣ，Ｄ，Ｅの中でパラメータＥの値が最も高いか否かを判別する（ステップＳ７０６）。
【００９９】
パラメータＣ，Ｄ，Ｅの中でパラメータＥの値が最も高いと判別すると（ステップＳ７０６；ＹＥＳ）、制御部１０９は、イコライザカーブの中音域（バンド４）を８ｄＢ低くし（ステップＳ７０７）、ステップＳ７０８に進む。
【０１００】
パラメータＣ，Ｄ，Ｅの中でパラメータＥの値が最も高くはないと判別すると（ステップＳ７０６；ＮＯ）、ステップＳ７０８に進む。
【０１０１】
制御部１０９は、平均音量比較処理において算出したパラメータＦ，Ｇ，Ｈの中でパラメータＦの値が最も高いか否かを判別する（ステップＳ７０８）。
【０１０２】
パラメータＦ，Ｇ，Ｈの中でパラメータＦの値が最も高いと判別すると（ステップＳ７０８；ＹＥＳ）、制御部１０９は、イコライザカーブの低音域（バンド１〜３）を８ｄＢ高くし（ステップＳ７０９）、イコライザカーブ決定処理を終了する。
【０１０３】
パラメータＦ，Ｇ，Ｈの中でパラメータＦの値が最も高くはないと判別すると（ステップＳ７０８；ＮＯ）、制御部１０９は、パラメータＦ，Ｇ，Ｈの中でパラメータＧの値が最も高いか否かを判別する（ステップＳ７１０）。
【０１０４】
パラメータＦ，Ｇ，Ｈの中でパラメータＧの値が最も高いと判別すると（ステップＳ７１０；ＹＥＳ）、制御部１０９は、イコライザカーブの低音域（バンド１〜３）を４ｄＢ高くし（ステップＳ７１１）、イコライザカーブ決定処理を終了する。
【０１０５】
パラメータＦ，Ｇ，Ｈの中でパラメータＧの値が最も高くはないと判別すると（ステップＳ７１０；ＮＯ）、イコライザカーブ決定処理を終了する。
【０１０６】
このようにして、イコライザカーブ決定処理によれば、オーディオ再生装置１００は、再生するＣＤ記録媒体に対するイコライザカーブを決定することができる。
【０１０７】
なお、本発明は、上記実施形態に限定されず、種々の変形及び応用が可能である。
【０１０８】
まず、上記実施の形態においては、再生対象の記録媒体がＣＤの場合にのみイコライザカーブの自動設定を行うこととしたが、ＤＶＤ等についても行うことも可能であり、音声データのソースは任意である。
【０１０９】
また、サンプリングの周波数は、ＣＤのタイプの判別及び記録されている楽曲のジャンルの判別のために１００Ｈｚ，４００Ｈｚ，２．５ｋＨｚ、１０ｋＨｚを選択したが、判別対処の記録媒体の記録特性や対象とする楽曲の種類（雅楽、民謡、謡曲、．．．）等に応じて、サンプリング対象の周波数を設定する。
【０１１０】
また、各ＣＤについて、サンプリングの対象を５曲として、１曲あたり１００サンプルとする例を示したが、サンプリング対象曲数は任意であり、また、１曲当たりのサンプリング数も任意である。ただし、総サンプリング数が多すぎると設定に時間がかかりすぎ、曲数やサンプリング数が少な過ぎると適切な設定が行われないおそれがあり、バランスを取る必要がある。
【０１１１】
また、上記実施の形態においては、楽曲の開始から１分の時点からサンプリングを開始したが、開始タイミングは任意である。ただし、所謂頭出しの無音期間を考慮して、３０秒〜１分の間で設定するのが望ましい。例えば、楽曲が１分３０秒以下というように、非常に短い楽曲の場合には、３０秒の時点をサンプリング開始時点と、それより長い場合には、１分とするように、調整する等してもよい。また、サンプリングが十分にできない程度に短い楽曲の場合には、次の曲をサンプリングの対象とする等、してもよい。
【０１１２】
同様に、各パラメータやパラメータによって変化させる音量レベルの変化量を変更してもよい。
【０１１３】
また、上記実施形態では、一曲につき複数回再生し、複数の周波数における音量の平均値を求めて、複数の周波数における平均値を比較した。応用例においては、一曲につき再生した回数の複数の周波数における音量の内から、最大の音量をサンプリングし、複数の周波数における最大音量を比較してもよい。
【図面の簡単な説明】
【０１１４】
【図１】本発明の実施形態に係るオーディオ再生装置の構成を示すブロック図である。
【図２】図１におけるＤＳＰの構成を示すブロック図である。
【図３】各周波数帯における音量レベルの変化量の態様を示す図である。
【図４】イコライザ自動設定処理を示すフローチャートである。
【図５】サンプリング処理を示すフローチャートである。
【図６】平均音量比較処理において、サンプリング処理の結果得られた各平均音量を比較し、各パラメータを決定するための表である。
【図７】平均音量比較処理を示すフローチャートである。
【図８】（ａ）は、イコライザカーブ決定処理において、平均音量比較処理の結果得られた各パラメータによりどのような補正を行うかを示した表であり、（ｂ）は、平均音量比較処理の結果得られた各パラメータの表の一例である。
【図９】イコライザカーブ決定処理を示すフローチャートである。
【符号の説明】
【０１１５】
１００      オーディオ再生装置
１０１      操作部
１０２      ＭＤ（Mini Disc）再生部
１０３      ＣＤ（Compact Disc）再生部
１０４      セレクタ
１０５      ＤＳＰ（Digital Signal Processor）
１０５１    イコライザ部
１０５２    ボリューム調整部
１０５３    スペクトラムアナライザ部
１０６      Ｄ／Ａ（Digital to Analog）変換器
１０７      アンプ
１０８      スピーカ
１０９      制御部
１１０      チューナ
１１１      セレクタ
１１２      Ａ／Ｄ（Analog to Digital）変換器
１１３      バス
２００      外部再生装置
【図１】
2008130103.tif 000003
【図２】
2008130103.tif 000004
【図３】
2008130103.tif 000005
【図４】
2008130103.tif 000006
【図５】
2008130103.tif 000007
【図６】
2008130103.tif 000008
【図７】
2008130103.tif 000009
【図８】
2008130103.tif 000010
【図９】
2008130103.tif 000011